(57)【要約】      （修正有）【課題】病院などの限定された空間内において、その場に応じた管理が可能であり、かつ、通信容量の制限がない、インターネット環境提供システムを提供する。【解決手段】インターネット環境提供システムは、管理サーバーとルーターとからなり、管理サーバーは、インターネット通信を可能とするインターネット接続部と、ルーターを通じてアクセスを行う端末の識別・認証を行う識別・認証部とを有し、識別・認証部において、識別・認証コードによる認証を受けた端末のインターネット接続を許可する。【選択図】図５
2019054516.tif 000002
【特許請求の範囲】
【請求項１】
管理サーバーとルーターとからなり，
前記管理サーバーは，
インターネット通信を可能とするインターネット接続部と，
前記ルーターを通じてアクセスを行う端末の識別・認証を行う識別・認証部とを有し，
識別・認証部において，識別・認証コードによる認証を受けた端末のインターネット接続を許可することを特徴とするインターネット環境提供システム。
【請求項２】
前記識別・認証コードの発行が，決済を通じてなされる請求項１に記載のインターネット環境提供システム。
【請求項３】
前記決済が，現金，クレジットカード，電子マネー，仮想通貨のいずれか又は複数を組み合わせてなされる請求項２に記載のインターネット環境提供システム。
【請求項４】
前記決済において，電話料金の支払いと合わせて支払われる，又はプリペイドカードにて支払われる請求項２又は３に記載のインターネット環境提供システム。
【請求項５】
前記識別・認証コードが，電磁的手段により発行される請求項２から４いずれかに記載のインターネット環境提供システム。
【請求項６】
前記識別・認証コードが，管理サーバーにより発行される請求項１から５のいずれかに記載のインターネット環境提供システム。
【請求項７】
前記識別・認証コードが，これが記録された有体物により発行される請求項２又は３のいずれかに記載のインターネット環境提供システム。
【請求項８】
前記有体物が，カード，レシートのいずれか又はこれらを組み合わせてなされる請求項７に記載のインターネット環境提供システム。
【請求項９】
前記識別・認証コードに，有効期間，有効時間帯，端末接続許可台数，アクセス規制情報のいずれか又は複数が設定されている請求項１から８に記載のインターネット環境提供システム。
【請求項１０】
医療機関において設置される請求項１から９のいずれかに記載のインターネット環境提供システム。
【請求項１１】
請求項７に記載の有体物の発行を行う，有体物発行機器。
【発明の詳細な説明】
【技術分野】
【０００１】
本発明は，インターネット環境提供システムに関する。さらに詳しくいうと本発明は，病院などの限定された空間内において，Wi-Fi通信などによるインターネット接続環境を提供しうるシステムに関する。
【背景技術】
【０００２】
病院などの限定された空間内においてインターネットを使用する場合，LTEなどの電気通信回線業者の提供する回線を用いる方法や，有線光回線などをWi-Fi通信技術により無線的に提供しうる方法（以下，「Wi-Fi通信」と略する）がある（特許文献１）。
【先行技術文献】
【特許文献】
【０００３】
【特許文献１】特開２０１６−０３９４８０号公報
【発明の開示】
【発明が解決しようとする課題】
【０００４】
電気通信回線業者の提供する回線を使用する場合，使用するデータ容量が一定限度を超えると，通信速度が極端に低下したり，追加の費用が必要になるなどの不便が生じる。
現在，映画やテレビを，インターネット回線を通じて視聴することが当たり前の時代となったこともあり，契約データ容量を超えてしまうことが頻発している。また，入院した際の病院などでは，日常と異なる生活のため時間を持て余した結果，通信容量が過大となりがちである。
【０００５】
病院で電気通信回線業者とは異なるインターネット通信が利用できれば，前述のような問題は生じない。しかるに，例えば，病院などで無制限にインターネット通信を利用可能とすると，種々の懸念が生じうる。
すなわち，入院患者が就寝時間を超えてインターネットを使用することにより健康（回復）に支障をきたすおそれがあることや，入院患者により入院期間が異なるため管理が複雑になるなどである。これより，入院患者の様々な事情を考慮した，適切な管理・運用方法が必要となる。
【０００６】
上記事情を背景として本発明では，病院など施設における限定された空間内において，その場に応じた管理が可能であり，かつ，通信容量の制限がなく，施設とは独立したインターネット環境提供システムの開発を課題とする。
【課題を解決するための手段】
【０００７】
発明者は，鋭意研究の結果，インターネット通信利用者に対し識別・認証コードの発行を行うとともに，管理サーバーで識別・認証コードによる認証を通じてインターネット通信を許可するシステムに想到し，発明を完成させたものである。
加えて発明者は，識別・認証コードに，有効期限や接続許可台数などの管理条件を付与したうえで，適切な管理を容易とするシステムに想到し，発明を完成させたものである。
【０００８】
本発明は，以下の構成からなる。
本発明の第一の構成は，管理サーバーとルーターとからなり，前記管理サーバーは，インターネット通信を可能とするインターネット接続部と，前記ルーターを通じてアクセスを行う端末の識別・認証を行う識別・認証部とを有し，識別・認証部において，識別・認証コードによる認証を受けた端末のインターネット接続を許可することを特徴とするインターネット環境提供システムである。
【０００９】
本発明の第二の構成は，前記識別・認証コードの発行が，決済を通じてなされる第一の構成に記載のインターネット環境提供システムである。
本発明の第三の構成は，前記決済が，現金，クレジットカード，電子マネー，仮想通貨のいずれか又は複数を組み合わせてなされる第二の構成に記載のインターネット環境提供システムである。
本発明の第四の構成は，前記決済において，電話料金の支払いと合わせて支払われる，又はプリペイドカードにて支払われる第二又は第三の構成のいずれかに記載のインターネット環境提供システムである。
本発明の第五の構成は，前記識別・認証コードが，電磁的手段により発行される第二から第四の構成のいずれかに記載のインターネット環境提供システムである。
本発明の第六の構成は，前記識別・認証コードが，管理サーバーにより発行される第一から第五の構成のいずれかに記載のインターネット環境提供システムである。
【００１０】
本発明の第七の構成は，前記識別・認証コードが，これが記録された有体物により発行される第二又は第三の構成のいずれかに記載のインターネット環境提供システムである。
本発明の第八の構成は，前記有体物が，カード，レシートのいずれか又はこれらを組み合わせてなされる第七の構成に記載のインターネット環境提供システムである。
本発明の第九の構成は，前記識別・認証コードに，有効期間，有効時間帯，端末接続許可台数，アクセス規制情報のいずれか又は複数が設定されている第一から第八の構成に記載のインターネット環境提供システムである。
【００１１】
本発明の第十の構成は，医療機関において設置される第一から第九の構成のいずれかに記載のインターネット環境提供システムである。
本発明の第十一の構成は，第七の構成に記載の有体物の発行を行う，有体物発行機器である。
【発明の効果】
【００１２】
本発明により，病院など施設における限定された空間内において，その場に応じた管理が可能であり，かつ，通信容量の制限がなく，施設とは独立したインターネット環境提供システムの提供が可能となった。
本発明のインターネット環境提供システムは，導入を行う事業者にとっては他者との差別化を図ることができ，これの利用者にとっては低額で容量制限のないインターネット通信環境を利用することが可能となる。これより本発明のインターネット環境提供システムは，利便性・経済性に優れた新たなビジネスモデルとして提供しうるものである。
【図面の簡単な説明】
【００１３】
【図１】本発明のインターネット環境提供システムの一態様を説明した図
【図２】本発明のインターネット環境提供システムの一態様を説明した図
【図３】本発明のインターネット環境提供システムの一態様を説明した図
【図４】医療機関における本発明のインターネット環境提供システムの一態様を説明した図
【図５】医療機関における本発明のインターネット環境提供システムの一態様を説明した図
【図６】医療機関における本発明のインターネット環境提供システムの一態様において，識別・認証の手順を説明した図
【図７】医療機関における本発明のインターネット環境提供システムの一態様を説明した図
【図８】医療機関における本発明のインターネット環境提供システムの一態様を説明した図
【図９】医療機関における本発明のインターネット環境提供システムの一態様を説明した図
【発明を実施するための形態】
【００１４】
＜＜I．発明の概要＞＞
本発明のインターネット環境提供システムについて，説明を行う。
【００１５】
本発明のインターネット環境提供システムは，管理サーバーとルーターとからなり，管理サーバーにおいて，識別・認証コードによる認証を受けた端末のインターネット接続を許可することを特徴とする。
すなわち，病院などの施設において入院患者などが，一時的かつ限定的に，施設所有と異なる独立したインターネット環境を使用することを想定して，本発明のインターネット環境提供システムは，提供されるものである。また，かかるインターネット環境提供システムは，施設とは異なる主体により提供されるものであり，新たなビジネスモデルとして提供されるものである。
【００１６】
管理サーバーは，必須の構成として，インターネット通信を可能とするインターネット接続部と，前記ルーターを通じてアクセスを行う端末の識別・認証を行う識別・認証部とを備える。管理サーバーは，これら必須の構成を備える限り特に限定する必要はなく，種々の構成とすることができる。
また，管理サーバーは，本発明のシステムを提供する施設（以下，単に「提供施設」）に関する施設名，IP情報，ドメイン情報などを記憶したり，SSIDやパスワードの自動生成などの機能を持たせ，識別・認証コードの発行を可能とする構成としてもよい。
【００１７】
管理サーバーは，典型的には，サーバーとして用いられる汎用コンピューターを用いればよい。
加えて，管理サーバーは，インターネット環境提供システムを提供する空間内に設置してもよいし，それ以外の場所に設置してもよい。
さらに，管理サーバーは，システムの態様や機能に応じて，複数の汎用コンピューターを用いて構成することもできる。
【００１８】
ルーターは，ネットワーク間を相互接続する通信機器として定義され，典型的には，Wi-Fiルーターを用いることができる。
Wi-Fiルーターは，Wireless Fidelityと称される無線LANインターフェースを備えた無線端末である。Wi-Fiルーターは，通常，有線および無線いずれの接続をも可能とする構成であることから，汎用されるWi-Fiルーター機器を用いればよい。
Wi-Fiルーターは，インターネット通信環境を提供しうる限り特に限定する必要はなく，設置場所や設置台数を任意に設定することができる。設置場所について，例えば，Wi-Fiルーターを，インターネット環境提供システムを提供する空間内に設置してもよいし，空間外に設置してもよい。すなわち，病院であれば，病院建屋内に設置してもよいし，建屋外の近傍に設置してもよい。
【００１９】
本発明のインターネット環境提供システムにおいては，識別・認証コードが用いられる。
識別・認証コードは，Wi-Fiルーターを通じてアクセスを行う各端末を識別・認証するための役割を果たす。識別・認証コードは，この役割を果たす限り特に限定する必要はなく，種々のものを用いることができる。
識別・認証コードとして典型的には，Wi-Fiルーターへのアクセスポイント情報（SSID，セキュリティコード）や識別・認証コードが発行された主体に関する情報（個人ID，パスワード）が挙げられる。
これらの情報については，識別・認証コードとして機能しうる限り特に限定する必要はなく，任意の表示手段で表示することができ，例えば，文字として情報を表示してもよいし，QRコード（登録商標）として表示を行ってもよい。
【００２０】
本発明において，識別・認証コードに，有効期間，有効時間帯，端末接続許可台数，アクセス規制情報のいずれか又は複数が合わせて設定されることが好ましい。これにより，接続主体に応じた接続環境の提供ならびに管理が可能となり，本発明のインターネット環境提供システムの効果的な運用が可能となるという効果を有する。
有効期間については，例えば，認証を行った初日から3日間や10日間，もしくは認証を行った日時から60時間や120時間，認証を行った当日限定もしくは半日（12時間）など，任意の日数ないし時間を設定することにより，設定することができる。すなわち，医療機関において入院患者や外来患者，健康診断対象者など，本発明のシステムの提供施設における様々な利用者を想定して，任意に有効期間を設定することができる。
有効時間帯については，例えば，6時から21時など，特定の時間帯のみインターネット接続できるものとして設定してもよいし，利用者によっては全ての時間帯を有効なものとするなど任意に設定することができる。
端末接続許可台数については，例えば，一つの識別・認証コード（ログインID）について，同時接続が可能な端末を3台ないし5台とするなど，任意の台数として設定することができる。
アクセス規制情報については，例えば，主体の年齢に応じてアダルトサイトなど特定のサイトについてアクセス制限がかかるものとして，設定することができる。また，例えば，深夜０時などの一定時刻に認証を強制的に解除し，再度アクセスがあった場合に識別・認証コードによる認証を求めるなどの情報を設定することもできる。
【００２１】
本発明において，識別・認証コードの発行が，決済を通じてなされることが好ましい。これにより，必要な人に限定した形でのWi-Fi環境の提供が可能となり，Wi-Fi環境システムの効率的な運用・管理が可能となるという効果を有する。
決済は，決済手段として有効な限り特に限定する必要はなく，任意の手段を用いることができる。
決済手段として典型的には，現金，クレジットカード，電子マネー（各種ペイなどを含む），仮想通貨を用いることができ，これらを単独もしくは複数を組み合わせて用いることができる。なお，現金決済については，コンビニ支払いや銀行振込，デビットカード，QRコード（登録商標）を端末に表示させこれを読み取ることによる現金引落など，任意の手段を用いることができる。
また，携帯電話番号と暗証番号の入力により決済を行う，もしくは，グーグルやアップルなど，特定のウェブサービスアカウントに紐づけされた決済情報を基に，アカウント情報の入力のみにより，決済を行ってもよい。
さらに，これらの手法により，電話料金の支払いと合わせて料金を支払う，又はプリペイドカードにて支払うなどの手法を採用することができる。これにより利用者は，現金によらずに決済を完了できることから，本発明のインターネット環境提供システムの利便性を向上させる効果を有する。特に，現金の取り扱いが制限されがちな医療機関において，有用である。
【００２２】
識別・認証コードの発行については，電磁的手段にて行ってもよいし，有体物に記載した形で発行を行ってもよい。
【００２３】
識別・認証コードが，電磁的手段に発行される場合，例えば，下記一連の流れで行うことができる。
(1)  スマートフォンやタブレット，ノートパソコンなど，Wi-Fi接続可能な任意の端末（以下，単に「端末」という）が，Wi-Fiルーターを通じて管理サーバーに接続される。
(2)  管理サーバーにより，決済画面が端末上に表示され，携帯電話番号やこれの暗証番号，クレジットカード情報やIDなどを入力することにより，決済が完了する。
(3)  決済完了により，自動的に識別・認証が行われ，インターネット接続が可能となる。もしくは，ログインID，ログインパスワードなどの識別・認証コードが画面に表示されたり，指定のメールアドレスなどに送付されるなどし，この識別・認証コードを入力することにより，インターネット接続が可能となる。
このように，管理サーバーから識別・認証コードを発行する構成とすることにより，電磁的手段による識別・認証コードの発行を円滑に行うことができる。
なお，この場合の識別・認証コードは，利用者が識別・認証コードを明示的に認識しうる態様であってもよいし，利用者が認識しえず，管理サーバーにより認識される態様であってもよい。また，識別・認証コードとして，デジタル認証（電子印鑑）を管理サーバーなどから利用者にファイルとして発行し，これにより端末を認証するような仕組みとしてもよい。
【００２４】
識別・認証コードが，有体物により発行される場合，例えば，下記一連の流れで発行することができる。
(1)  識別・認証コードが記載されたカードやレシートなど発行券として機能する有体物を，これの発行機器もしくは売店などを通じて購入することにより決済が完了する。
(2)  各端末からWi-Fiルーターに接続し，識別・認証コードに応じたSSIDの選択ならびにパスワードの入力を行う。
(3)  管理サーバーにより，ログイン画面が表示され，ログインパスワードを入力することにより，インターネット接続が可能となる。
これらのうち，識別・認証コードが記載された，カードやレシートなどの有体物発行機器を用いることにより，より安価かつ円滑なシステムの運用が可能となる。
【００２５】
本発明のインターネット環境提供システムは，任意の限定的空間において運用することが可能であるが，特に医療機関において用いることが好ましい。
これにより，入院患者や外来患者など様々な事情を考慮した，適切な管理・運用が可能となり，本発明のインターネット環境提供システムの有用性を向上させる効果を有する。
加えて，医療機関は，システムの運営・管理を自ら行うことなしに後付けでシステムを導入することが可能であることから，他の医療機関との差別化や患者に対するサービス向上という効果を有する。
さらに，医療機関においては，有料テレビが用いられているが，インターネットを通じてテレビを視聴することにより，当該有料テレビのシステムが不要となり，入院患者の利便性を向上させる効果を有する。また，従来用いていた有料テレビをそのまま用いるなどして，本発明のインターネット環境提供システムに有線的に接続することにより，インターネットを使用する態様とすることもできる。
このように，本発明においては，有線，無線，これらのいずれか又は両方の手段を用いて，利用者に対しインターネット環境を提供することができるが，利用者に対して無線的にインターネット環境を提供する手段を少なくとも含むことが好ましい。
【００２６】
本発明のインターネット環境提供システムにおいて，主体を特定しうる情報を取得することができる。
かかる主体特定情報としては，例えば，氏名，住所，電話番号，携帯端末情報（SIM情報，端末番号など），MACアドレスなどを用いることができ，これらの主体特定情報について，入力フォームを用いたり，主体が使用する端末から自動取得するなどして取得することができる。
また，かかる主体特定情報に紐付けする形で，インターネット使用情報をログとして，管理サーバーや他の記憶装置などに記録することができる。
【００２７】
＜＜II．実施の態様＞＞
本発明のインターネット環境提供システムについて，図面を例にとり説明を行う。なお，これらは，それぞれ権利を説明するための例示に過ぎず，本発明を実施態様に限定して解釈すべきでないことはいうまでもない。
【００２８】
図１は，本発明のインターネット環境提供システムの一態様を示している。
図１において，管理サーバー２はインターネットＮに接続されており，Wi-Fiルーター３は，それぞれの端末４ないし６（以下，「端末等」）からのアクセスを受けている状態である。
なお，それぞれの端末において一つの識別・認証コードが付与されており，ここでは，１つの識別・認証コードで３台（スマートフォン，タブレット，ノートパソコン）の接続が可能な状態となっている。
【００２９】
まず，端末等からWi-Fiルーター３にアクセスを行う。この場合，Wi-Fiルーター３へのアクセス許可を受けるために，識別・認証コードに記載されたSSIDの選択ならびにセキュリティーコードの入力を行う。
続いて，端末等のウェブブラウザを開くことにより，端末等が管理サーバー２へアクセスすることとなり，ウェブブラウザ上にログイン画面が表示される。ここで，決済を行ったり，識別・認証コードに記載されたログインID・パスワードを入力したりすることにより，インターネットNへの接続が可能となる。なお，この場合，ログインIDの入力は省略し，パスワードのみの入力とすることもできる。
【００３０】
図２は，本発明のインターネット環境提供システムの一態様を示している（端末については省略）。
図２において，管理サーバー２１はインターネットＮに接続されており，これに３台のWi-Fiルーター３１ないし３３が接続されている状態を示している。
このように，１台の管理サーバーで複数のWi-Fiルーターを管理することができ，例えば，１つの医療機関において，各部屋ごともしくは各階ごとに，Wi-Fiルーターを備えるなどである。
【００３１】
図３は，本発明のインターネット環境提供システムの一態様を示している（端末については省略）。
図３においては，管理サーバー２２，２３がそれぞれ３台のWi-Fiルーターに接続されている様子を示している。
このように，同じ施設であっても，例えば，建屋別や階別などの物理的分類，もしくは医療科別や患者種別などの性質的分類に応じて，複数の管理サーバーを用いてシステムを構築することができる。
【００３２】
また，図４から図６を用いて，医療機関を例にとり説明を行う。
【００３３】
図４は医療機関における本発明のインターネット環境提供システムの一態様を説明した図（概念図），図５は医療機関における本発明のインターネット環境提供システムの一態様を説明した図（システム構成図），図６は医療機関における本発明のインターネット環境提供システムの一態様において，識別・認証の手順を説明した図である。
これらは，管理サーバーを通じて決済が行われるとともに識別・認証が行われ，インターネット認証を得る仕組みとなっている。
【００３４】
本発明のインターネット環境提供システムを医療機関に導入する際の有線回線の設置・導入について，大きく分けて２つの手法が挙げられる。
一つは病院建屋内に既に設置されている有線回線を用いる手法であり，もう一つが病院建屋内もしくは建屋近傍に病院とは独立した回線を新たに設置する手法である。
これらのうち，後者の手法を用いることが好ましい。これにより，極めて高い機密性が要求される病院内通信網とは別の通信網として本発明のインターネット環境提供システム通信網を設置することが可能となり，病院側にとっては情報漏洩のリスクを排除しつつ，本発明のメリットを享受することができる。また，病院業務に支障をきたすことなく，システムの導入・保守管理が可能となる。
【００３５】
本発明のインターネット環境提供システムを医療機関に導入する際のWi-Fiルーターの設置・導入について，大きく分けて２つの手法が挙げられる。
１つは，病室や廊下などの建屋内にWi-Fiルーターを設置・導入する手法であり，もう一つは，Wi-Fiルーターを建屋外の近傍に設置・導入する手法である。これらについては，建屋の状況や電波状況，有線回線の導入手法など種々の状況を勘案したうえで，適宜選択することができるが，好ましくは，後者の手法を用いることができる。これにより，病院業務に支障をきたすことなく，システムの導入・保守管理が可能となる。
【００３６】
また，いずれの場合であっても，管理サーバーについては，外部の導入事業者が管理を行うため，病院建屋外に設置すればよい。
このように本発明のインターネット環境提供システムは，基本的には，有線回線（光回線），管理サーバー（汎用コンピューター），Wi-Fiルーターの組み合わせでシステムを構築できるものであり，導入コストを低く抑えつつ，有用性の高いシステムとして，医療機関は導入することができる。
【００３７】
導入されたインターネット環境提供システムへの接続について，まず，患者は，端末からWi-Fi機器（Wi-Fiルーター）に接続を行う。Wi-Fi機器（Wi-Fiルーター）への接続は，Wi-Fiの設定画面から，予め定められたSSIDと同一名称のものを選択すればよく，ノートパソコンの場合についても同様である。これにより，仮パスワードが管理サーバーから送信されるとともに，支払画面が表示される。
続いて，必要な情報の入力をすることにより支払画面で決済を行い，ログインIDが発行されるとともに，申し込みの手続が完了する。この申込処理後，使用されるクレジットカードやプリペイドカード残高に問題がないかなどに関する認証作業が自動的に行われ，これを完了した後，正式なパスワードが送信され，インターネット接続が可能となる。
なお，決済後，他の端末でアクセスを行う場合，有効期間内であれば，ログインIDとパスワードの入力のみにてインターネット接続が可能となる。
このように，本発明のインターネット環境提供システムにおけるWi-Fiルーターと管理サーバーによるシステム構成により，認証から支払までスムーズに行うことができ，患者にとって利便性に優れるとともに，誰でもが利用可能なものである。
【００３８】
これら一連の流れは管理サーバーにより管理され，ID・パスワード，有効期間，接続台数などがモニター・管理され，適切な運用を可能とするものである。
接続台数について，ここでは，１回の決済により得られるログインIDで３台までの同時接続が可能となっているが，これについては，必ずしも３台に限定する必要はなく，任意に変更することが可能である。
有効期間については，１回の決済で，例えば，１０日間，有効とすることができるが，これについても任意の期間として設定することができる。合わせて，開始時期については，初回ログイン時を開始時期とし，これを管理サーバーにて管理を行う。
【００３９】
入院患者にとっては，院内においてWi-Fi環境の使用が可能となるものである。加えて，自らの入院期間やライフスタイルに応じた使用や，目安として１日あたり50〜100円程度と安価な費用で使用できることもあり，利便性や経済性に優れたものである。さらに，単にインターネットを通じた閲覧のみならず，これを用いた自宅のモニターリングやIOT機器への接続・使用など様々なメリットを提供するものである。
【００４０】
さらに，図７から図９を用いて，医療機関における異なるシステム態様について説明を行う。図７ないし９は，いずれも医療機関における本発明のインターネット環境提供システムの一態様を示した図（概念図）である。
これらにおいては，各提供施設（〇〇病院）に，認証サーバーを備えるものである。すなわち，認証サーバーは，提供施設ごとに配置されており，IPならびにドメインに関する情報が登録・管理されている。また，利用者に付与されるSSID，パスワードが，認証サーバーに登録されることにより，インターネットへのアクセスを管理・制御するものである。
【００４１】
図７は，管理サーバー（mamorukun.jp），管理サーバーの役割の一部を担う事業者，提供施設で構成される例である。かかる構成においては，下記一連の流れで処理が行われる。
(1)  管理サーバーで運営されるウェブサイトを通じて，施設利用者からの利用申し込みを受け付ける。
(2)  管理サーバーは，利用申し込み・購入に関する情報を，事業者に通知する。
(3)  通知を受けた事業者は，SSID，パスワードを生成，提供施設内の認証サーバーへ登録するとともに，利用者に必要な情報（識別・認証コード等）を通知する。
(4)  利用者は，通知された情報を基に，提供施設内のインターネットに認証情報を入力することにより，インターネットの使用が可能となる。
【００４２】
図８および図９は，管理サーバー（mamorukun.jp），提供施設で構成される例である。いずれにおいても，事業者を介することなく，管理サーバーにより，SSID，パスワードの生成ならびに認証サーバーへの登録等を行うものであり，自動化されたシステムである。また，提供施設ごとのグローバルIPをDNS登録することにより，管理サーバーにおいて，提供施設ごとのDNS情報を認識することで，適切に，利用者に対して，認証情報を提供しうるものである。また，図９においては，管理サーバーに，さらにWi-Fiシステム情報を備えることで，さらに適切な管理・運営を行う態様となっている。
【００４３】
上記のとおり，本発明のインターネット環境提供システムは，医療機関において好適に用いられ，特に入院を必要とする医療機関により好適に用いられるものである。
かかる場合，本発明のインターネット環境提供システムは，管理サーバーとルーターとからなり，前記管理サーバーは，インターネット通信を可能とするインターネット接続部と，前記ルーターを通じてアクセスを行う端末の識別・認証を行う識別・認証部とを有し，識別・認証部において，識別・認証コードによる認証を受けた端末のインターネット接続を許可するインターネット環境提供システムであって，入院を必要とする医療機関において提供されるとともに，前記インターネット環境提供システムが，医療機関とは独立して構成され，管理・運営が行われることを特徴とするものである。
加えて，当該システムを提供する医療機関毎に認証サーバーを設けることにより，管理サーバーが複数の医療機関を個別に認識し，適切な管理・運営を可能とするものである。
さらに，インターネット環境提供システムのより好適な態様として，利用者に対しては，Wi-Fiによる無線通信を提供することにより，より迅速かつ低コストで利便性の高いシステム提供が可能となるものである。
【図１】
2019054516.tif 000003
【図２】
2019054516.tif 000004
【図３】
2019054516.tif 000005
【図４】
2019054516.tif 000006
【図５】
2019054516.tif 000007
【図６】
2019054516.tif 000008
【図７】
2019054516.tif 000009
【図８】
2019054516.tif 000010
【図９】
2019054516.tif 000011